(57)【特許請求の範囲】
【請求項１】
水を供給する給水管と、
湯を供給する給湯管と、
前記給水管が接続された給水接続口と、
前記給湯管が接続された給湯接続口と、
前記水と前記湯とを混合した温水を、人体局部に向けて噴射して洗浄を行うノズルと、
を備えた衛生洗浄装置であって、
前記給水管は、前記給水接続口に接続された状態において水平方向に回転可能であり、
前記給湯管は、前記給湯接続口に接続された状態において水平方向に回転可能であり、
前記給水接続口及び前記給湯接続口の一方は、左右方向において、前記給水接続口及び前記給湯接続口の他方と、前記衛生洗浄装置の中心と、の間に位置し、
前記一方は、前記他方よりも後方に位置することを特徴とする衛生洗浄装置。
【請求項２】
水を供給する給水管と、
湯を供給する給湯管と、
前記給水管が接続された給水接続口と、
前記給湯管が接続された給湯接続口と、
前記水と前記湯とを混合した温水を、人体局部に向けて噴射して洗浄を行うノズルと、
を備えた衛生洗浄装置であって、
前記給水管は、前記給水接続口に接続された状態において水平方向に回転可能であり、
前記給湯管は、前記給湯接続口に接続された状態において水平方向に回転可能であり、
前記給水接続口及び前記給湯接続口の一方は、左右方向において、前記給水接続口及び前記給湯接続口の他方と、前記衛生洗浄装置の中心と、の間に位置し、
前記一方の位置は、前記他方の位置よりも低いことを特徴とする衛生洗浄装置。
【請求項３】
前記給水管及び前記給湯管のそれぞれは、可撓性を有することを特徴とする請求項１または２記載の衛生洗浄装置。
【請求項４】
前記衛生洗浄装置の中心と前記給湯接続口との間の左右方向に沿った距離は、前記衛生洗浄装置の前記中心と前記給水接続口との間の左右方向に沿った距離よりも短いことを特徴とする請求項１〜３のいずれか１つに記載の衛生洗浄装置。
【請求項５】
前記給水接続口は、前記給湯接続口よりも前方に位置することを特徴とする請求項１〜４のいずれか１つに記載の衛生洗浄装置。
【発明の詳細な説明】
【技術分野】
【０００１】
本発明の態様は、一般的に、衛生洗浄装置に関する。
【背景技術】
【０００２】
トイレに設置される衛生洗浄装置は、ノズルから洗浄水を使用者の局部に噴射して、局部を洗浄する。このとき、噴射される洗浄水の温度が低すぎると、使用者が不快に感じることがある。そこで、衛生洗浄装置には、局部洗浄時に適度な温度の温水を噴射することが望まれる。
【０００３】
温水を供給する方法として、多数のトイレが設置される設備においては、セントラル給湯方式と呼ばれる給湯の方式が採用される。セントラル給湯方式においては、１ヶ所に設置された加熱装置によって水が熱され、湯が生成される。生成された湯は、配管等によって各トイレ室へ導かれる。また、湯とは別に、常温の水が水道管等の配管によって各トイレ室へ導かれる。このとき、衛生洗浄装置には、ミキシングバルブ（湯水混合弁）が用いられる。ミキシングバルブは、湯と常温の水とを混合して温水（混合水）を生成する。これにより、局部洗浄において、適度な温度の温水を噴射することが可能となる。例えば、湯が通る配管と衛生洗浄装置とを接続する給湯管、及び、水が通る配管と衛生洗浄装置とを接続する給水管には、それぞれ、銅管などが用いられている。
【先行技術文献】
【特許文献】
【０００４】
【特許文献１】特許第３０１９３１４号公報
【発明の概要】
【発明が解決しようとする課題】
【０００５】
湯と水とが別々に供給される衛生洗浄装置の設置やメンテナンスにおいて、給水管及び給湯管に銅管を用いる場合、施工者が現場でそれぞれの銅管を曲げることとなる。この際、一方の銅管の位置によっては、他方の銅管を曲げる作業に支障が生じる場合がある。また、このような作業の施工精度は、施工者の技量に依存することがあり、施工性の向上が望まれている。
【０００６】
本発明は、かかる課題の認識に基づいてなされたものであり、湯と水とが別々に供給される場合において施工性を向上させた衛生洗浄装置を提供することを目的とする。
【課題を解決するための手段】
【０００７】
第１の発明は、水を供給する給水管と、湯を供給する給湯管と、前記給水管が接続された給水接続口と、前記給湯管が接続された給湯接続口と、前記水と前記湯とを混合した温水を、人体局部に向けて噴射して洗浄を行うノズルと、を備えた衛生洗浄装置であって、前記給水管は、前記給水接続口に接続された状態において水平方向に回転可能であり、前記給湯管は、前記給湯接続口に接続された状態において水平方向に回転可能であり、前記給水接続口及び前記給湯接続口の一方は、左右方向において、前記給水接続口及び前記給湯接続口の他方と、前記衛生洗浄装置の中心と、の間に位置し、前記一方は、前記他方よりも後方に位置することを特徴とする衛生洗浄装置である。
【０００８】
この衛生洗浄装置によれば、給水管は給水接続口の周りに回転可能であり、給湯管は給湯接続口の周りに回転可能である。これにより、施工者は、給水管が延びる方向及び給湯管が延びる方向を簡易に変更することができる。また、給水接続口及び給湯接続口は、前後方向においても左右方向においても、互いにずれた位置に設けられる。これにより、給水管及び給湯管を回転させて、給水管及び給湯管が後方に延びる状態と、給水管及び給湯管が側方に延びる状態と、を切り替える際に、一方の管によって他方の管の可動範囲が制限されにくい。すなわち、回転の際に管同士が干渉しにくい。これにより、管の取り回しが容易となり、施工性を向上させることができる。
【０００９】
第２の発明は、水を供給する給水管と、湯を供給する給湯管と、前記給水管が接続された給水接続口と、前記給湯管が接続された給湯接続口と、前記水と前記湯とを混合した温水を、人体局部に向けて噴射して洗浄を行うノズルと、を備えた衛生洗浄装置であって、前記給水管は、前記給水接続口に接続された状態において水平方向に回転可能であり、前記給湯管は、前記給湯接続口に接続された状態において水平方向に回転可能であり、前記給水接続口及び前記給湯接続口の一方は、左右方向において、前記給水接続口及び前記給湯接続口の他方と、前記衛生洗浄装置の中心と、の間に位置し、前記一方の位置は、前記他方の位置よりも低いことを特徴とする衛生洗浄装置である。
【００１０】
この衛生洗浄装置によれば、給水管は給水接続口の周りに回転可能であり、給湯管は給湯接続口の周りに回転可能である。これにより、施工者は、給水管が延びる方向及び給湯管が延びる方向を簡易に変更することができる。また、給水接続口及び給湯接続口のうち、より内側に位置する方が、より低い位置に設けられる。これにより、給水管及び給湯管を回転させて、給水管及び給湯管が後方に延びる状態と、給水管及び給湯管が側方に延びる状態と、を切り替える際に、一方の管によって他方の管の可動範囲が制限されにくい。すなわち、回転の際に管同士が干渉しにくい。これにより、管の取り回しが容易となり、施工性を向上させることができる。
【００１１】
第３の発明は、第１または第２の発明において、前記給水管及び前記給湯管のそれぞれは、可撓性を有することを特徴とする衛生洗浄装置である。
【００１２】
この衛生洗浄装置によれば、給水管及び給湯管が可撓性を有することで、給水管及び給湯管が延びる方向を容易に変更することができ、さらに施工性を向上させることができる。
【００１３】
第４の発明は、第１〜第３のいずれか１つの発明において、前記衛生洗浄装置の中心と前記給湯接続口との間の左右方向に沿った距離は、前記衛生洗浄装置の前記中心と前記給水接続口との間の左右方向に沿った距離よりも短いことを特徴とする衛生洗浄装置である。
【００１４】
この衛生洗浄装置によれば、給湯接続口は、左右方向において給水接続口よりも衛生洗浄装置の内側に位置する。このため、給湯接続口に接続された給湯管は、給水接続口に接続された給水管よりも、使用者から遠くなる。これにより、使用者が給湯管に触れることを防ぐことができる。
【００１５】
第５の発明は、第１〜第４のいずれか１つの発明において、前記給水接続口は、前記給湯接続口よりも前方に位置することを特徴とする衛生洗浄装置である。
【００１６】
この衛生洗浄装置によれば、給湯接続口は、給水接続口よりも後方に位置する。このため、給湯接続口に接続された給湯管は、給水接続口に接続された給水管よりも、使用者から遠くなる。これにより、使用者が給湯管に触れることを防ぐことができる。
【発明の効果】
【００１７】
本発明の態様によれば、湯と水とが別々に供給される場合において施工性を向上させた衛生洗浄装置を提供することができる。
【図面の簡単な説明】
【００１８】
【図１】本発明の実施の形態にかかる衛生洗浄装置を備えたトイレ装置を表す斜視図である。
【図２】実施形態に係る衛生洗浄装置の内部を例示する模式的平面図である。
【図３】実施形態に係る衛生洗浄装置における水路を例示する図である。
【図４】図４（ａ）及び図４（ｂ）は、実施形態に係る衛生洗浄装置の一部を例示する断面図である。
【図５】図５（ａ）〜図５（ｃ）は、実施形態に係る衛生洗浄装置の一部を例示する平面図である。
【図６】実施形態に係る衛生洗浄装置の一部を例示する分解斜視図である。
【図７】図７（ａ）及び図７（ｂ）は、実施形態に係る衛生洗浄装置の一部を例示する平面図である。
【図８】図８（ａ）〜図８（ｃ）は、実施形態に係る衛生洗浄装置の一部を例示する平面図及び斜視図である。
【図９】実施形態に係る他の衛生洗浄装置の一部を例示する斜視図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視図である。  
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２０】
ここで、本願明細書においては、便座２００に座った使用者からみて上方を「上方」とし、便座２００に座った使用者からみて下方を「下方」とする。また、開いた状態の便蓋３００に背を向けて便座２００に座った使用者からみて前方を「前方」とし、便座２００に座った使用者からみて後方を「後方」とする。また、便座２００に座った使用者からみて右側を「右側方」とし、便座２００に座った使用者からみて左側を「左側方」とする。
【００２１】
ケーシング４００の内部には、便座２００に座った使用者の「おしり」などの洗浄を実現する局部洗浄機能部などが内蔵されている。また、例えばケーシング４００には、トイレ室への使用者の入室を検知する入室検知センサ４０２（人体検知手段）、便座２００の前方にいる使用者を検知する人体検知センサ４０３（人体検知手段）、便座２００への使用者の着座を検知する着座検知センサ４０４（人体検知手段）が設けられている。
【００２２】
着座検知センサ４０４が便座２００に座った使用者を検知している場合において、使用者が例えばリモコンなどの操作部５００を操作すると、ノズル４７３（洗浄ノズル）を便器８００のボウル８０１内に進出させることができる。なお、図１に表した衛生洗浄装置１００では、ノズル４７３がボウル８０１内に進出した状態を表している。ノズル４７３の進退は、モータによる駆動力などの任意の手段によって行われる。
【００２３】
ノズル４７３の先端部には、ひとつあるいは複数の吐水口４７４が設けられている。そして、ノズル４７３は、その先端部に設けられた吐水口４７４から水や温水を噴射して、便座２００に座った使用者の「おしり」などを洗浄することができる。
【００２４】
なお、着座検知センサ４０４は、使用者が便座２００に着座する直前において便座２００の上方に存在する人体や、便座２００に着座した使用者を検知することができる。すなわち、着座検知センサ４０４は、便座２００に着座した使用者だけではなく、便座２００の上方に存在する使用者を検知することができる。このような着座検知センサ４０４としては、例えば、赤外線投受光式の測距センサなどを用いることができる。
【００２５】
また、人体検知センサ４０３は、便器８００の前方にいる使用者、すなわち便座２００から前方へ離間した位置に存在する使用者を検知することができる。つまり、人体検知センサ４０３は、トイレ室に入室して便座２００に近づいてきた使用者を検知することができる。このような人体検知センサ４０３としては、例えば、赤外線投受光式の測距センサなどを用いることができる。
【００２６】
また、入室検知センサ４０２は、トイレ室のドアを開けて入室した直後の使用者や、トイレ室に入室しようとしてドアの前に存在する使用者を検知することができる。つまり、入室検知センサ４０２は、トイレ室に入室した使用者だけではなく、トイレ室に入室する前の使用者、すなわちトイレ室の外側のドアの前に存在する使用者を検知することができる。このような入室検知センサ４０２としては、焦電センサや、ドップラーセンサなどのマイクロ波センサなどを用いることができる。マイクロ波のドップラー効果を利用したセンサや、マイクロ波を送信し反射したマイクロ波の振幅（強度）に基づいて被検知体を検出するセンサなどを用いた場合、トイレ室のドア越しに使用者の存在を検知することが可能となる。つまり、トイレ室に入室する前の使用者を検知することができる。
【００２７】
また、ケーシング４００には、便座２００を温める「便座ヒータ」や、便座２００に座った使用者の「おしり」などに向けて温風を吹き付けて乾燥させる「温風乾燥機能」や、「脱臭ユニット」や「室内暖房ユニット」などの各種の機構が適宜設けられていてもよい。例えば、脱臭ユニット４８１は、電解水などが含浸されたフィルター及び脱臭ファン４８２を有する（図２参照）。トイレ室内の臭気は、脱臭ファン４８２の動作によって、ケーシング４００内に吸引され、フィルターを通過する。これにより、悪臭成分が電解水によって吸収又は分解される。この際、ケーシング４００の側面又は背面には、脱臭ユニットからの排気口及び室内暖房ユニットからの排出口が適宜設けられる。ただし、実施形態においては、便座ヒータ、温風乾燥機能、脱臭ユニット及び室温暖房ユニットなどは、必ずしも設けられなくてもよい。
【００２８】
図２は、実施形態に係る衛生洗浄装置の内部を例示する平面図である。  
図２は、ケーシング４００に内蔵されている局部洗浄機能部を表す。衛生洗浄装置１００は、給水管９１と、給湯管９２と、給水接続部１０と、給湯接続部２０と、水側バルブユニット１５と、湯側バルブユニット２５と、ミキシングバルブ３０と、安全弁部４０と、切替部５０（切替弁ユニット）と、オートクリーンユニット６０（機能水生成部６１）と、ノズル部４７０と、制御部４８０と、脱臭ユニット４８１と、を含む。これらは、ケーシング４００のケースプレート４０１上に配置されている。ケースプレート４０１は、略水平方向に延在する皿状又は板状である。ケースプレート４０１は、適宜、排水等のために水平方向に対して傾斜した部分を有していてもよい。なお、図２では、便宜上、ケーシング４００内の一部の要素を省略している。
【００２９】
制御部４８０は、ＩＣ素子などを含む制御回路（マイコン）である。制御部４８０によって、水側バルブユニット１５、湯側バルブユニット２５、ノズル部４７０及び脱臭ユニット４８１（脱臭ファン４８２）等に含まれる電磁弁やモータなどの動作が制御される。また、制御部４８０は、人体検知手段、便座ヒータ、オートクリーンユニット６０などの動作を制御する。
【００３０】
図３は、実施形態に係る衛生洗浄装置における水路を例示するブロック図である。  
給水管９１は、水側配管部１４を介して、水道や貯水タンクなどの給水源（図示せず）と接続される。水側配管部１４は、ストレーナ１１と、ストレーナ１１の下流側に設けられた逆止弁１２と、逆止弁１２の下流側に設けられた止水弁１３と、を有する。給水管９１の下流側の端は、給水接続部１０に接続される。これにより、給水管９１は、衛生洗浄装置１００に水を供給する。給水接続部１０の下流側には、水側バルブユニット１５が設けられる。水側バルブユニット１５は、給水電磁弁１６と、その下流側の水側調圧弁１７と、を有する。水側バルブユニット１５の下流側には、ミキシングバルブ３０が設けられる。給水電磁弁１６の開閉によって、ミキシングバルブ３０へ水が供給される状態と、水の供給が停止された状態と、を切り替えることができる。水側調圧弁１７は、例えば、シリンダ内に設けられバネ等によって付勢された弁（ピストン）を有する。シリンダ内に流入する水の圧力とバネ等による付勢力とに応じて、弁の開度が変化する。これにより、水側調圧弁１７は、ミキシングバルブ３０へ供給される水の圧力を調整する。
【００３１】
一方、給湯管９２は、湯側配管部２４を介して、加熱装置などの給湯源（図示せず）と接続される。湯側配管部２４は、ストレーナ２１と、ストレーナ２１の下流側に設けられた逆止弁２２と、逆止弁２２の下流側に設けられた止水栓２３と、を有する。給湯管９２の下流側の端は、給湯接続部２０に接続される。これにより、給湯接続部２０は、衛生洗浄装置１００に加熱された湯を供給する。給湯接続部２０の下流側には、湯側バルブユニット２５が設けられる。湯側バルブユニット２５は、給湯電磁弁２６と、その下流側の湯側調圧弁２７と、を有する。湯側バルブユニット２５の下流側にミキシングバルブ３０が設けられる。給湯電磁弁２６の開閉によって、ミキシングバルブ３０へ湯が供給される状態と、湯の供給が停止された状態と、を切り替えることができる。湯側調圧弁２７は、例えば、シリンダ内に設けられバネ等によって付勢された弁（ピストン）を有する。シリンダ内に流入する湯の圧力とバネ等による付勢力とに応じて、弁の開度が変化する。これにより、湯側調圧弁２７は、ミキシングバルブ３０へ供給される湯の圧力を調整する。
【００３２】
ミキシングバルブ３０は、供給された湯と水とを混合して混合水を生成する。これにより、適度な温度の温水（混合水）を、下流側へ供給することができ、ノズル４７３から噴射することができる。なお、本願明細書において、「温水」とは、給水管から供給された水と、給湯管から供給された湯と、が任意の割合で混合された混合水をいう。特に言及しない場合、温水の温度は限定されない。
【００３３】
この例では、ミキシングバルブ３０には、温度検知手段が設けられる。これにより、ミキシングバルブ３０は、温水の温度を自動で調整することができる。例えば、ミキシングバルブ３０は、温度検知手段としてワックスエレメントを用いたワックス式温度調整弁である。なお、実施形態において、ミキシングバルブ３０には、ワックス式温度調整弁に限らず、任意の湯水混合弁を用いることができる。例えば、温度検知手段としてバイメタルや任意の温度センサを用いることができる。
【００３４】
ミキシングバルブ３０の下流側には、安全弁部４０が設けられる。安全弁部４０は、サーミスタ４１と安全弁４２を有する。安全弁４２は、例えば、シリンダ内に設けられバネ等によって付勢された弁（ピストン）を有する。シリンダ内に流入する温水の圧力が所定値よりも高くなると、弁が開き、図２及び図３に表した矢印Ａ４のように温水は、ケースプレート４０１側へ導かれる。これにより温水は、ケースプレート４０１の前方に設けられた開口から外部（例えばボウル８０１）へ排水される。
【００３５】
衛生洗浄装置１００が有する温水の流路１１０は、ミキシングバルブ３０及び安全弁部４０の下流側に設けられた第１分岐部５１と、ノズル側水路５５と、第１捨水路８１と、を含む。ノズル側水路５５及び第１捨水路８１は、それぞれ、第１分岐部５１の下流側に設けられ、第１分岐部５１から分岐している。
【００３６】
第１分岐部５１には、切替部５０（切替弁ユニット）が設けられている。切替部５０は、電磁弁１５０を含む。これにより、第１分岐部５１は、ミキシングバルブ３０から供給された温水の流路を切り替える。すなわち、電磁弁１５０のＯＮ／ＯＦＦによって、温水がノズル側水路５５へ流れる状態と、温水が第１捨水路８１へ流れる状態と、が切り替えられる。温水は、ノズル側水路５５及び第１捨水路８１の双方に同時に流れなくてよい。
【００３７】
第１捨水路８１には、負圧破壊装置１５３が設けられている。第１捨水路８１へ流れた温水は、図２及び図３に表した矢印Ａ５のように、ケースプレート４０１側へ導かれ、ケースプレート４０１の前方に設けられた開口から外部（例えばボウル８０１）へ捨てられる。
【００３８】
例えば、使用者が衛生洗浄装置１００を使用するときに、着座検知センサ４０４の出力に応じて、水側バルブユニット１５及び湯側バルブユニット２５が開かれる。このとき、湯や温水の流路、及び、その流路内に残留した温水が冷えていることがある。また、ミキシングバルブ３０に所定量以上の水及び湯を流すことにより、ミキシングバルブ３０は、温水の温度を調整することができる。このため、使用者の使用開始直後においては、ミキシングバルブ３０から供給される温水の温度が使用者にとって低い場合がある。そこで、衛生洗浄装置１００は、人体の着座検知の後に、所定量の温水を第１捨水路８１へ捨てる。例えば、ミキシングバルブ３０において、温水が適度な温度となるまで、第１捨水路８１へ温水が流される。
【００３９】
その後、例えば、使用者が局部洗浄を行う際に操作部５００を操作することで、電磁弁１５０によって流路が切り替えられる。これにより温水は、ノズル側水路５５へ流れる。ノズル側水路５５は、第２分岐部５２と、導水路７０と、第２捨水路８２と、を含む。導水路７０及び第２捨水路８２は、それぞれ、第２分岐部５２の下流側に設けられ、第２分岐部５２から分岐している。
【００４０】
第２捨水路８２は、温水をケースプレート４０１側へ導き、矢印Ａ６のように、ケースプレート４０１の前方に設けられた開口から外部（例えばボウル８０１）へ捨てる。導水路７０は、ノズル部４７０（ノズル４７３）へ温水を導く。
【００４１】
ノズル部４７０は、流量切替弁４７１と流路切替弁４７２とノズル４７３とを有する。流量切替弁４７１及び流路切替弁４７２によって、ノズル４７３における水勢の調節や、水を吐出する吐水口４７４の切替などが可能である。  
以上により、適度な温度の温水（混合水）をノズル４７３から噴射することができる。
【００４２】
第２分岐部５２よりも下流側の導水路７０上には、オートクリーンユニット６０及び負圧破壊装置１５４が設けられている。オートクリーンユニット６０は、温水から機能水を生成する機能水生成部６１を含む。機能水は、例えば、除菌機能を有する除菌水である。例えば、機能水生成部６１は、電解槽を含み、電解槽の内部を流れる水道水（温水）を電気分解することにより、次亜塩素酸を含む機能水を生成する。オートクリーンユニット６０は、衛生洗浄装置１００の使用後に、ノズル部４７０に機能水を供給する。これにより、ノズル４７３の外周表面（胴体）などを除菌することができる。
【００４３】
なお、「機能水」とは、次亜塩素酸などの除菌成分を水道水よりも多く含む溶液をいう。また、機能水生成部６１において生成される機能水は、銀イオンや銅イオンなどの金属イオンを含む溶液、電解塩素やオゾンなどを含む溶液であってもよい。機能水は、酸性水やアルカリ水であってもよい。実施形態において、殺菌水生成部は、電解槽に限定されるわけではない。例えば、除菌水は、除菌剤または除菌液を水に溶解させることによって生成されてもよい。
【００４４】
図４（ａ）及び図４（ｂ）は、実施形態に係る衛生洗浄装置の一部を例示する断面図である。  
図４（ａ）は、図２のＳ１−Ｓ２線における給水接続部１０の断面を拡大して示す。  
図４（ａ）に示したように、給水接続部１０は、円筒部１０ａを含む。円筒部１０ａは、略上下方向に延びる管状（筒状）の部分であり、円筒部１０ａの位置は、ケースプレート４０１に対して、例えば、直接的又は間接的に固定されている。円筒部１０ａの下端には、下方に向かって開いた給水接続口１０ｃが設けられている。円筒部１０ａの下端の外縁には、フランジ部１０ｇが設けられている。フランジ部１０ｇの外径は、円筒部１０ａの外径よりも大きい。
【００４５】
給水管９１の端部には、接続管１０ｂが取り付けられている。接続管１０ｂは、略水平方向に延びる水平部分１０ｄと、略上下方向に延びる挿入部分１０ｅと、を含む。水平部分１０ｄと挿入部分１０ｅとは、連続しており、１つの管を形成している。水平部分１０ｄの端部が、給水管９１に固定されている。挿入部分１０ｅの上端には、上方に向かって開いた開口１０ｆが設けられている。挿入部分１０ｅの外形は、給水接続口１０ｃの形状に対応している。挿入部分１０ｅは、例えば、円筒状である。挿入部分１０ｅの外径は、給水接続口１０ｃの内径と実質的に同じである。挿入部分１０ｅの外縁には、フランジ部１０ｈが設けられている。フランジ部１０ｈの外径は、挿入部分１０ｅの外径よりも大きい。
【００４６】
給水管９１は、接続管１０ｂを介して給水接続口１０ｃに接続されている。具体的には、接続管１０ｂの挿入部分１０ｅが、給水接続口１０ｃに挿入されている。このとき、フランジ部１０ｈは、フランジ部１０ｇに当接する。また、フランジ部１０ｈよりも先端側において、挿入部分１０ｅの外周面に溝が設けられており、溝にシール部材１０ｓが設けられる。シール部材１０ｓは、ゴムなどの弾性材料からなり、挿入部分１０ｅと給水接続部１０との間を埋める。これにより、給水管９１に流れる水は、接続管１０ｂ及び円筒部１０ａを介して、水側バルブユニット１５へ流れる。
【００４７】
なお、この例は、接続管１０ｂを給水接続口１０ｃに挿入する構成であるが、これとは反対に、給水接続口１０ｃを接続管１０ｂに挿入する構成としてもよい。また、給水接続口１０ｃが上方を向き、開口１０ｆが下方を向く構成としてもよい。
【００４８】
実施形態においては、給水管９１は、給水接続口１０ｃの周りに回転可能な状態で接続されている。つまり、給水管９１は、図４（ａ）に示す回転軸Ｒｘ１を中心に回転可能である。回転軸Ｒｘ１は、給水接続口１０ｃの略中心を通り、略鉛直方向に延在する軸である。これにより、上方から見たときに、給水接続口１０ｃから給水管９１が延びる方向Ｄ１（水平部分１０ｄが延在する方向）は、可変である。
【００４９】
図４（ｂ）は、図２のＳ３−Ｓ４線における給湯接続部２０の断面を拡大して示す。    給湯接続部２０の構成は、給水接続部１０の構成と同様である。  
すなわち、給湯接続部２０は、円筒部２０ａを含む。円筒部２０ａは、略上下方向に延びる管状（筒状）の部分であり、円筒部２０ａの位置は、ケースプレート４０１に対して、例えば、直接的又は間接的に固定されている。円筒部２０ａの下端には、下方に向かって開いた給湯接続口２０ｃが設けられている。円筒部２０ａの下端の外縁には、フランジ部２０ｇが設けられている。フランジ部２０ｇの外径は、円筒部２０ａの外径よりも大きい。
【００５０】
給湯管９２の端部には、接続管２０ｂが取り付けられている。接続管２０ｂは、略水平方向に延びる水平部分２０ｄと、略上下方向に延びる挿入部分２０ｅと、を含む。水平部分２０ｄと挿入部分２０ｅとは、連続しており、１つの管を形成している。水平部分２０ｄの端部が、給湯管９２に固定されている。挿入部分２０ｅの上端には、上方に向かって開いた開口２０ｆが設けられている。挿入部分２０ｅの外形は、給湯接続口２０ｃの形状に対応している。挿入部分２０ｅは、例えば、円筒状である。挿入部分２０ｅの外径は、給湯接続口２０ｃの内径と実質的に同じである。挿入部分２０ｅの外縁には、フランジ部２０ｈが設けられている。フランジ部２０ｈの外径は、挿入部分２０ｅの外径よりも大きい。
【００５１】
給湯管９２は、接続管２０ｂを介して給湯接続口２０ｃに接続されている。具体的には、接続管２０ｂの挿入部分２０ｅが、給湯接続口２０ｃに挿入されている。このとき、フランジ部２０ｈは、フランジ部２０ｇに当接する。また、フランジ部２０ｈよりも先端側において、挿入部分２０ｅの外周面に溝が設けられており、溝にシール部材２０ｓが設けられる。シール部材２０ｓは、ゴムなどの弾性材料からなり、挿入部分２０ｅと給湯接続部２０との間を埋める。これにより、給湯管９２に流れる湯は、接続管２０ｂ及び円筒部２０ａを介して、湯側バルブユニット２５へ流れる。
【００５２】
なお、この例は、接続管２０ｂを給湯接続口２０ｃに挿入する構成であるが、これとは反対に、給湯接続口２０ｃを接続管２０ｂに挿入する構成としてもよい。また、給湯接続口２０ｃが上方を向き、開口２０ｆが下方を向く構成としてもよい。
【００５３】
実施形態においては、給湯管９２は、給湯接続口２０ｃの周りに回転可能な状態で接続されている。つまり、給湯管９２は、図４（ｂ）に示す回転軸Ｒｘ２を中心に回転可能である。回転軸Ｒｘ２は、給湯接続口２０ｃの略中心を通り、略鉛直方向に延在する軸である。これにより、上方から見たときに、給湯接続口２０ｃから給湯管９２が延びる方向Ｄ２（水平部分２０ｄが延在する方向）は、可変である。
【００５４】
図５（ａ）〜図５（ｃ）は、実施形態に係る衛生洗浄装置の一部を例示する平面図である。  
図５（ａ）は、給水管９１及び給湯管９２が後方に延びている状態を表す。図５（ｂ）は、給水管９１及び給湯管９２が右側方に延びている状態を表す。
【００５５】
既に述べた通り、給水接続口１０ｃから給水管９１が延びる方向Ｄ１は、回転軸Ｒｘ１を中心として水平面内において回転可能である。例えば、方向Ｄ１は、図５（ａ）及び図５（ｂ）に示す角度範囲Ｒ１内において回転可能である。  
また、給湯接続口２０ｃから給湯管９２が延びる方向Ｄ２は、回転軸Ｒｘ２を中心として水平面内において回転可能である。例えば、方向Ｄ２は、図５（ａ）及び図５（ｂ）に示す角度範囲Ｒ２内において回転可能である。
【００５６】
衛生洗浄装置１００がトイレ室に設置される場合、給水管９１及び給湯管９２が延びる方向は、トイレ室に水を導く水道管の位置、トイレ室へ湯を導く配管の位置、トイレ装置の形状などに応じて適宜定められる。このため、例えば、給水管９１及び給湯管９２が衛生洗浄装置１００の後方へ延びることが望ましい場合と、給水管９１及び給湯管９２が衛生洗浄装置１００の側方へ延びることが望ましい場合と、がある。
【００５７】
このとき、給水管及び給湯管に銅管を用いた従来の衛生洗浄装置においては、施工者が、それぞれの現場に応じて、給水管及び給湯管を後方又は側方に曲げることとなる。この際、一方の銅管の位置によっては、他方の銅管を配置したり曲げたりする作業に支障が生じることがある。また、この作業の施工精度や手間などは、施工者の技量に依存する。
【００５８】
これに対して、実施形態においては、給水管９１は給水接続口１０ｃの周りに回転可能であり、給湯管９２は給湯接続口２０ｃの周りに回転可能である。これにより、施工者は、給水管９１が延びる方向Ｄ１及び給湯管９２が延びる方向Ｄ２を簡易に変更することができる。例えば、管を曲げなくても、給水管９１及び給湯管９２が後方に延びる状態と、側方に延びる状態と、を簡易に切り替えることができる。
【００５９】
さらに実施形態においては、給水接続口１０ｃの中心Ｃ１と、給湯接続口２０ｃの中心Ｃ２と、は、上方からみたときに斜めに配置されている。すなわち、この例では、給湯接続口２０ｃは、給水接続口１０ｃよりも後方に位置する。そして、給湯接続口２０ｃは、左右方向において、給水接続口１０ｃと衛生洗浄装置１００の中心との間に位置する。換言すると、給湯接続口２０ｃは、左右方向において給水接続口１０ｃよりも内側に設けられている。このように、給水接続口１０ｃ及び給湯接続口２０ｃのうち、より内側に位置する方が、より後方に配置される。
【００６０】
これにより、給水管９１及び給湯管９２を回転させて、給水管９１及び給湯管９２が後方に延びる状態と、給水管９１及び給湯管９２が側方に延びる状態と、を切り替える際に、一方の管によって他方の管の可動範囲が制限されにくい。すなわち、回転の際に、管同士が干渉しにくい。これにより、給水管９１及び給湯管９２の取り回しが容易となり、施工性を向上させることができる。
【００６１】
また、給水接続口１０ｃと給湯接続口２０ｃとは、前後方向において（前方から見たときに）重ならず、かつ、左右方向において（側方から見たときに）重ならない。これにより、さらに広い可動範囲を確保することができる。例えば、給水管９１及び給湯管９２が延びる方向を、衛生洗浄装置１００の真後ろ、または、真横、とすることができる。
なお、実施形態において、給水接続口１０ｃを、左右方向において給湯接続口２０ｃよりも内側としてもよい。この場合には、給水接続口１０ｃを、給湯接続口２０ｃよりも後方とする。これにより、給水管９１及び給湯管９２の取り回しが容易となる。  
【００６２】
給水管９１及び給湯管９２のそれぞれは、可撓性を有することが望ましい。例えば、可撓性を有する給水管９１及び給湯管９２として、ポリ塩化ビニルなどの樹脂製のホースや、蛇腹状の金属製（ＳＵＳ等）のホースを用いることができる。これにより、給水管９１及び給湯管９２が延びる方向を、容易に変更することができる。従って、さらに施工性を向上させることができる。
【００６３】
また、給水接続口１０ｃと給湯接続口２０ｃとが離れていると、トイレ室内において給水管９１及び給湯管９２のために無駄にスペースが必要となったり、施工性が低下したりすることがある。このため、上方から見たときに、給水接続口１０ｃと給湯接続口２０ｃとの間の距離は、短いことが望ましい。この例では、図２に示したように、ケースプレート４０１上の右後方の隅に、給水接続部（給水接続口１０ｃ）と給湯接続部（給湯接続口２０ｃ）とが、設けられている。例えば、図５（ｃ）に示した、中心Ｃ１と中心Ｃ２との間の距離Ｄ１は、３０ｍｍ以上５０ｍｍ以下程度である。この際、給水接続口１０ｃ及び給湯接続口２０ｃとを、ケースプレート４０１の外縁に沿って並べることが望ましい。これにより、ケースプレート４０１上におけるスペースの無駄や施工性の低下を抑制できる。例えば、ケースプレート４０１の左右方向における端と、中心Ｃ１と、の間の左右方向に沿った距離Ｄ２は、１０ｍｍ以上３０ｍｍ以下程度であり、ケースプレート４０１の最後端と、中心Ｃ１と、の間の前後方向に沿った距離Ｄ３は、４８ｍｍ以上６８ｍｍ以下程度である。また、例えば、ケースプレート４０１の左右方向における端と、中心Ｃ２と、の間の左右方向に沿った距離Ｄ４は、４０ｍｍ以上６０ｍｍ以下程度であり、ケースプレート４０１の最後端と、中心Ｃ２と、の間の前後方向に沿った距離Ｄ５は、２４ｍｍ以上４４ｍｍ以下程度である。なお、上記において、ケースプレート４０１の左右方向における端とは、ケースプレート４０１の右端及び左端のうち、中心Ｃ１及び中心Ｃ２により近い方をいう。
【００６４】
例えば、給湯管９２に湯が流れると、給湯管９２の温度が高くなることがある。このとき、使用者が、給湯管９２に触れて驚倒する場合がある。これに対して、給湯接続口２０ｃは、左右方向において給水接続口１０ｃよりも内側に位置する。換言すれば、図２に示すように、衛生洗浄装置１００の中心（ケースプレート４０１の中心）と給湯接続口２０ｃとの間の左右方向に沿った距離Ｌ１は、衛生洗浄装置１００の中心（ケースプレート４０１の中心）と給水接続口１０ｃとの間の左右方向に沿った距離Ｌ２よりも短い。左右方向において、給湯接続口２０ｃは、衛生洗浄装置１００の中心と、給水接続口１０ｃと、の間に位置する。これにより、給湯管９２は、給水管９１よりも使用者から遠くなり、使用者が衛生洗浄装置１００の側方から給湯管９２に触れることを防ぐことができる。
【００６５】
さらに、給湯接続口２０ｃは、給水接続口１０ｃよりも後方に位置する。これにより、給湯管９２は、給水管９１よりも、使用者から遠くなる。従って、使用者が給湯管９２に触れることを防ぐことができる。
【００６６】
次に、図６、図７（ａ）、図７（ｂ）及び図８（ａ）〜図８（ｃ）を参照して、給水管及び給湯管の接続方法について説明する。  
図６は、実施形態に係る衛生洗浄装置の一部を例示する分解斜視図である。  
図６は、給水接続部１０及び給湯接続部２０を、右後方から眺めた状態を表す。  
図６では、給水管９１及び給湯管９２は、それぞれ、給水接続部１０及び給湯接続部２０から外れている。
【００６７】
接続管１０ｂを含む給水管９１と給水接続部１０との接続には、抜け止め部材２１０及びカバー２１５が用いられる。抜け止め部材２１０は、円筒部１０ａと接続管１０ｂとを挟む一対の挟持部２１１を有するクリップ状である。各挟持部２１１は、円筒部１０ａと挿入部分１０ｅの外径に応じて湾曲した形状を有する。各挟持部２１１には、開口部２１１ｅが設けられている。
【００６８】
抜け止め部材２１０には、金属や樹脂などの弾性を有する材料が用いられる。弾性変形によって、挟持部２１１同士の間隔は変化する。この例では、抜け止め部材２１０の全体が弾性を有する。これに限ることなく、抜け止め部材２１０は、少なくとも一部が弾性を有し、各挟持部２１１の間隔が弾性変形によって変化可能であればよい。
【００６９】
図７（ａ）及び図７（ｂ）は、実施形態に係る衛生洗浄装置の一部を例示する平面図である。  
図７（ａ）は、抜け止め部材２１０を取り付ける途中の状態を表し、図７（ｂ）は、抜け止め部材２１０が取り付けられた状態を表す。抜け止め部材２１０を取り付ける際には、挿入部分１０ｅを円筒部１０ａに挿入した状態で、抜け止め部材２１０を、矢印Ａ１０の方向（例えば略水平方向）に押し込む。このとき、一対の挟持部２１１が、円筒部１０ａ及び挿入部分１０ｅに当接する。これにより、弾性変形によって、挟持部２１１同士の間隔が広くなる。抜け止め部材２１０をさらに押し込むと、挟持部２１１同士の間隔は、円筒部１０ａ（及び挿入部分１０ｅ）の外径に応じて、図７（ａ）の状態に比べて狭くなる。これにより、図７（ｂ）のように、抜け止め部材２１０が取り付けられる。図７（ｂ）の状態においては、開口部２１１ｅ（図６参照）は、フランジ部１０ｇ及びフランジ部１０ｈ（図４（ａ）参照）と係合する。このような抜け止め部材２１０を用いた接続によって、給水管９１は、給水接続口１０ｃの周りに回転可能な状態となり、給水接続部１０に対して着脱可能である。
【００７０】
抜け止め部材２１０が取り付けられた後に、カバー２１５が取り付けられる。  
図８（ａ）〜図８（ｃ）は、実施形態に係る衛生洗浄装置の一部を例示する平面図及び斜視図である。  
図８（ａ）は、カバー２１５を例示する平面図であり、図８（ｂ）及び図８（ｃ）は、カバー２１５の取り付けを例示する斜視図である。
【００７１】
図８（ａ）に表したように、カバー２１５は、挿入部２１５ａと、カバー部２１５ｂと、係合部２１５ｐと、を含む。この例では、カバー部２１５ｂの両端に挿入部２１５ａが設けられている。カバー２１５は、抜け止め部材２１０を側面から覆うように、取り付けられる。図８（ｂ）に表したように、ケースプレート４０１と抜け止め部材２１０との間の隙間に、挿入部２１５ａを挿入する。これにより、図８（ｃ）に表したように、カバー部２１５ｂによって、抜け止め部材２１０が隠蔽される。
【００７２】
ケースプレート４０１の側面には、フック４０１ｐ（係合部）が設けられている。フック４０１ｐの形状は、カバー２１５の係合部２１５ｐの形状と対応している。カバー２１５が取り付けられた際に、フック４０１ｐと係合部２１５ｐとが係合する。これにより、カバー２１５がケースプレート４０１に対して固定される。
【００７３】
図６を再び参照して説明すると、接続管２０ｂを含む給湯管９２と給湯接続部２０との接続には、抜け止め部材２２０及びカバー２２５が用いられる。抜け止め部材２２０及びカバー２２５は、それぞれ、抜け止め部材２１０及びカバー２１５と同様である。すなわち、抜け止め部材２２０は、挟持部２２１及び開口部２２１ｅを有する。カバー２２５は、挿入部２２５ａ、カバー部２２５ｂ及びフック２２５ｐを有する。
【００７４】
給湯管９２と給湯接続部２０との接続方法は、既に述べた給水管９１と給水接続部１０との接続方法と同様であるので、詳細な説明は省略する。以上により、給湯管９２も給湯接続口２０ｃの周りに回転可能な状態となり、給湯接続部２０に対して着脱可能である。
【００７５】
図９は、実施形態に係る他の衛生洗浄装置の一部を例示する斜視図である。  
図９は、衛生洗浄装置１００ａの一部を右後方から眺めた状態を表す。衛生洗浄装置１００ａは、給水接続部１０に代えて給水接続部１０ｘを有し、給湯接続部２０に代えて給湯接続部２０ｘを有する。これ以外は、衛生洗浄装置１００ａは、前述の衛生洗浄装置１００と同様である。
【００７６】
図９に表したように、給水接続部１０ｘの給水接続口１０ｃの高さは、給湯接続部２０ｘの給湯接続口２０ｃの高さと異なる。この例では、給湯接続口２０ｃは、給水接続口１０ｃよりも低い位置に設けられている。これ以外は、給水接続部１０ｘ及び給湯接続部２０ｘは、それぞれ、前述の給水接続部１０及び給湯接続部２０と同様である。
【００７７】
このように給湯接続口２０ｃの位置を低くすることによって、給水管９１の回転及び給湯管９２の回転の際に、管同士の干渉をより抑制することができる。これにより、管の取り回しがさらに容易となり、施工性を向上させることができる。
【００７８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、給水管、給湯管、給水接続部、給湯接続部、ノズルなどが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７９】
１０ 給水接続部、  １０ａ 円筒部、  １０ｂ 接続管、  １０ｃ 給水接続口、  １０ｄ 水平部分、  １０ｅ 挿入部分、  １０ｆ 開口、  １０ｇ フランジ部、  １０ｈ フランジ部、  １０ｓ シール部材、  １０ｘ 給水接続部、  １１ ストレーナ、  １２ 逆止弁、  １３ 止水弁、  １４ 水側配管部、  １５ 水側バルブユニット、  １６ 給水電磁弁、  １７ 水側調圧弁、  ２０ 給湯接続部、  ２０ａ 円筒部、  ２０ｂ 接続管、  ２０ｃ 給湯接続口、  ２０ｄ 水平部分、  ２０ｅ 挿入部分、  ２０ｆ 開口、  ２０ｇ フランジ部、  ２０ｈ フランジ部、  ２０ｓ シール部材、  ２０ｘ 給湯接続部、  ２１ ストレーナ、  ２２ 逆止弁、  ２３ 止水栓、  ２４ 湯側配管部、  ２５ 湯側バルブユニット、  ２６ 給湯電磁弁、  ２７ 湯側調圧弁、  ３０ ミキシングバルブ、  ４０ 安全弁部、  ４１ サーミスタ、  ４２ 安全弁、  ５０ 切替部、  ５１ 第１分岐部、  ５２ 第２分岐部、  ５５ ノズル側水路、  ６０ オートクリーンユニット、  ６１ 機能水生成部、  ７０ 導水路、  ８１ 第１捨水路、  ８２ 第２捨水路、  ９１ 給水管、  ９２ 給湯管、  １００、１００ａ 衛生洗浄装置、  １１０ 流路、  １５０ 電磁弁、  １５３、１５４ 負圧破壊装置、  ２００ 便座、  ２１０ 抜け止め部材、  ２１１ 挟持部、  ２１１ｅ 開口部、  ２１５ カバー、  ２１５ａ 挿入部、  ２１５ｂ カバー部、  ２１５ｐ 係合部、  ２２０ 抜け止め部材、  ２２１ 挟持部、  ２２１ｅ 開口部、  ２２５ カバー、  ２２５ａ 挿入部、  ２２５ｂ カバー部、  ２２５ｐ フック、  ３００ 便蓋、  ４００ ケーシング、  ４０１ ケースプレート、  ４０１ｐ フック、  ４０２ 入室検知センサ、  ４０３ 人体検知センサ、  ４０４ 着座検知センサ、  ４７０ ノズル部、  ４７１ 流量切替弁、  ４７２ 流路切替弁、  ４７３ ノズル、  ４７４ 吐水口、  ４８０ 制御部、  ４８１ 脱臭ユニット、  ４８２ 脱臭ファン、  ５００ 操作部、  ８００ 便器、  ８０１ ボウル  
【図１】
0006705176.tif 000002
【図２】
0006705176.tif 000003
【図３】
0006705176.tif 000004
【図４】
0006705176.tif 000005
【図５】
0006705176.tif 000006
【図６】
0006705176.tif 000007
【図７】
0006705176.tif 000008
【図８】
0006705176.tif 000009
【図９】
0006705176.tif 000010